(57)【要約】【課題】機器のサイズを大型化することなく、入力部材の操作性を向上させる。【解決手段】割り当てられた複数のジョブの指示の入力を受け付ける操作キー２１と、移動位置Ａ〜Ｃにスライド自在なホールドスイッチ２２と、を備え、ホールドスイッチ２２が位置する移動位置Ａ〜Ｃに応じて操作キー２１が受け付けた指示の入力の有効、無効の選択、及び、操作キー２１に割り当てられた複数のジョブのうち入力を受け付けるジョブの選択の入力を受け付ける。【選択図】  図１
2005352597.tif 000002
【特許請求の範囲】
【請求項１】
割り当てられた複数のジョブの指示の入力を受け付ける入力部材と、
操作状態に応じて、前記入力部材が受け付けた指示の入力の有効、無効の選択、及び、前記入力部材に割り当てられた複数のジョブのうち入力を受け付けるジョブの選択の入力を受け付けるホールドスイッチと、を備えたことを特徴とする電子機器。
【請求項２】
前記ホールドスイッチは、操作状態に応じてジョブの入力を受け付けることを含むこと特徴とする請求項１に記載の電子機器。
【発明の詳細な説明】
【技術分野】
【０００１】
この発明は、持ち運び可能な携帯型の記録媒体再生機器等の操作キーの操作を無効にするホールドスイッチを備えた電子機器に関する。
【背景技術】
【０００２】
従来より持ち運び可能な携帯型の記録媒体再生機器等の電子機器は、携帯し易いように可能な限りサイズの小型化を図っている。そのため、機器を動作させるジョブの指示の入力を受け付ける操作キーの配設数も可能な限り低減している。そのため、操作キーに割り当てられる実行可能なジョブの数も制限されてしまう。したがって、操作キーの配設数以上のジョブの指示の入力を受け付けるため、例えば電子機器本体に備えられるディスプレイに複数のジョブの選択メニューを表示させ、ユーザが操作キーを押下して表示された目的のジョブの指示の選択の入力を行う構成のものがある。
【０００３】
この時、ディスプレイ自体も小型化が図られているために全てのジョブを一画面に表示できないので、ユーザは操作キーを押下して画面上の表示をスクロールさせる等して目的のジョブを表示させた後に選択の入力を行う。
【０００４】
また、図６に示すように、鞄等に収納した状態のままでも遠隔から電子機器本体のジョブの入力を受け付けるリモートコントローラ１００についても、上述した構成と同様に小型化を図るため操作キー１０１の配設数を可能な限り低減し、ディスプレイ１０５を用いてジョブの選択メニューの表示を行っている。
【０００５】
上述のような電子機器は、本体機器の外観上に操作キーが配置されているので、持ち運びのためにユーザの鞄の中に収納された状態等において、他の収納物等との衝突等によって操作キーが押下されて動作状態が変更されてしまう誤操作が生じる。そのため、操作キーが押下されても入力を無効にする本体機器を操作無効状態（ホールドモード）にして誤操作を防止する構成を有している（例えば、特許文献１参照。）。
【０００６】
操作無効状態の設定は、電子機器本体に配設されたスライド式のホールドスイッチを移動させることにより行う。また、電子機器本体だけでなく、図６に示すようにリモートコントローラ１００においても、誤操作を防止するためにスライド式のホールドスイッチ１１０が備えられている。
【特許文献１】特願平５−２６６６４５号公報
【発明の開示】
【発明が解決しようとする課題】
【０００７】
しかしながら、上述のディスプレイに表示される複数のジョブから目的のジョブの選択の入力を行う構成では、複数のジョブのうちから目的のジョブをディスプレイ画面に表示させて選択の入力を行うまでに操作キーの押下を何度も行わなければならない。そのため、ユーザに非常に負担がかかってしまう。また、操作キー自体も小型化が図られているため、操作キーの押下の頻度が多いと誤操作の頻度も増し、ユーザにさらに負担がかかる。
【０００８】
この発明の目的は、機器のサイズを大型化することなく、入力部材の操作性を向上させることができる電子機器を提供することにある。
【課題を解決するための手段】
【０００９】
この発明は、上記の課題を解決するために、以下の構成を備えている。
【００１０】
（１）割り当てられた複数のジョブの指示の入力を受け付ける入力部材と、
操作状態に応じて、前記入力部材が受け付けた指示の入力の有効、無効の選択、及び、前記入力部材に割り当てられた複数のジョブのうち入力を受け付けるジョブの選択の入力を受け付けるホールドスイッチと、を備えたことを特徴とする。
【００１１】
この構成においては、ホールドスイッチの操作状態に応じて、入力部材に割り当てられた複数のジョブのうち入力が受け付けられるジョブの選択の入力が受け付けられ、入力部材が受け付けたジョブに応じて本体機器が動作を行う。
【００１２】
（２）前記ホールドスイッチは、操作状態に応じてジョブの入力を受け付けることを含むこと特徴とする。
【００１３】
この構成においては、ホールドスイッチの操作状態に応じて、入力部材に割り当てられた複数のジョブのうち入力が受け付けられるジョブの選択の入力が受け付けられ、且つ、ジョブの入力も受け付けられる。
【発明の効果】
【００１４】
この発明によれば、以下の効果を奏することができる。
【００１５】
（１）ホールドスイッチの操作状態に応じて、入力部材に割り当てられた複数のジョブのうち入力を受け付けるジョブの選択の入力を受け付けることによって、入力部材を新たに設けることなく本体機器のサイズを維持しつつ、入力部材により受け付けられるジョブの数を増加させることができる。
【００１６】
これにより、従来の機器のようにディスプレイに表示されたジョブの選択メニュー等から入力部材を用いて目的のジョブを探して指示の選択の入力を行う等のユーザの手間を低減することができ、入力部材の操作性を向上させることができる。また、ジョブの指示の選択の入力の受付を単純な構成で行うことができ、コストダウンを図ることができる。
【００１７】
ホールドスイッチは、本体機器の動作状態を変更する時に操作されるだけで、ユーザがジョブの指示の入力を行う際等には使用されない。そのため、ホールドスイッチが入力部材において入力を受け付けるジョブの選択の入力を受け付けても、入力部材の操作性には影響を与えない。
【００１８】
（２）ホールドスイッチは、本体機器の動作状態を変更する時に操作されるだけで、ユーザがジョブの指示の入力を行う際等には使用されないので、ホールドスイッチの操作状態に応じてジョブの指示の入力を受け付けること含めることによって、ホールドスイッチも入力部材に相当することになるので、新たに入力部材を増加させることなく、指示の入力を受け付けることができるジョブの数を容易に増加させることができる。したがって、入力部材の操作性をより向上させることができる。
【００１９】
また、ホールドスイッチにジョブを割り当てることで、ホールドスイッチにジョブを割り当てない従来の機器に比べて、指示の入力を受け付けるジョブの数が同じであっても入力部材の配設数を少なくできるので、コストダウン及び本体機器のサイズの小型化を図ることもできる。
【発明を実施するための最良の形態】
【００２０】
以下、この発明の最良の実施形態に係る電子機器である携帯型の記録媒体再生機器を図面を参照しつつ詳細に説明する。
【００２１】
図１は、この発明の記録媒体再生機器に備えられるリモートコントローラの外観図である。この発明の本体機器である記録媒体再生機器は、着脱自在な記録媒体に記録された複数の楽曲等のデータの再生等を行う。データの再生等の本体機器を動作させるジョブの指示の入力は、本体機器に配設された複数の操作キーだけでなく、図１に示すリモートコントローラ１０に配設された複数の操作キー２１により受け付けられる。
【００２２】
本体機器に配設された複数の操作キーとリモートコントローラ１０に配設された複数の操作キー２１とは略同様の構成であるので、本実施形態ではリモートコントローラ１０について説明する。
【００２３】
リモートコントローラ１０は、ディスプレイ２０、操作キー２１及びホールドスイッチ２２等から構成され、接続された本体機器の動作を遠隔操作する。ディスプレイ２０は、本体機器の図示しない制御部から送信された信号に基づいてデータの再生中等の本体機器の動作状態等を表示する。
【００２４】
この発明の入力部材である操作キー２１は、複数配設され、各操作キー２１毎に２つのジョブが割り当てられ、ユーザの押下により指示の入力を受け付けたジョブを本体機器の図示しない制御部に出力する。制御部は、指示に応じたジョブを開始する。
【００２５】
ホールドスイッチ２２は、図１に示す矢印方向にスライド自在であり、３つの停止位置Ａ〜Ｃの間を往復移動する。また、ホールドスイッチ２２は、各停止位置Ａ〜Ｃ間の移動により本体機器の状態を操作無効状態、通常動作状態及び拡張動作状態を切り換える。
【００２６】
操作無効状態は、本体機器に配設された操作キー及びリモートコントローラ１０に配設された操作キー２１においてジョブの指示の入力を受け付けない状態である。通常動作状態は、各操作キー２１に割り当てられた複数のジョブのうち例えば使用頻度の高いジョブの指示の入力を受け付け可能な状態である。拡張動作状態は、各操作キー２１に割り当てられた複数のジョブのうち例えば使用頻度の低いジョブの指示の入力を受け付け可能な状態である。
【００２７】
各操作キー２１のジョブの入力の受付状態は、例えば図２に示すように、ホールドスイッチ２２が移動位置Ａに位置する場合は、操作無効状態なのでジョブの指示の入力が受け付けられない。また、ホールドスイッチ２２が移動位置Ｂに位置する場合、各操作キー２１は操作無効状態が解除されて同図に示すようなジョブの指示の入力を受け付ける。さらに、ホールドスイッチ２２が移動位置Ｃに位置する場合は、同じ操作キー２１であっても通常動作状態において受け付けるジョブとは異なる同図に示すようなジョブの指示の入力を受け付ける。
【００２８】
なお、全ての操作キー２１において複数のジョブを割り当てる必要はない。例えば、データの再生、再生の一旦停止のジョブは、使用頻度が非常に高いので、通常動作状態及び拡張動作状態のどちらでも指示の入力を受け付けるようにしてもよい。
【００２９】
また、移動位置Ａ〜Ｃに対応する各動作状態の順は、本実施形態の順に限定されるものではない。
【００３０】
図３（Ａ）及び（Ｂ）は、リモートコントローラ１０に配設されたホールドスイッチ２２の回路及び操作キー２１の回路の簡単な構成を示す回路図である。
【００３１】
図３（Ａ）に示すように、ホールドスイッチ２２は、接続位置Ａ〜Ｃに対応する接続端子Ａ１〜Ｃ１及びスイッチ部２２Ｓ等から構成される。接続端子Ａ１〜Ｃ１は、回路に電力を供給する電源部（ＡＶＣＣ）５０とグランド（ＧＮＤ）６０との間において直列に接続されている複数の抵抗５１のそれぞれの間に接続されている。スイッチ部２２Ｓは、自由端が選択的に接続端子Ａ１〜Ｃ１に接続され、固定端がＧＮＤ６０に接続されている。
【００３２】
また、ＡＶＣＣ５０とＧＮＤ６０との間における接続端子Ａ１が接続されている位置に図示しないマイクロコンピュータのＡＤ入力ポート７０が接続されている。マイクロコンピュータは、制御部に含まれ、本体機器全体の動作を制御する。
【００３３】
ＡＤ入力ポート７０は、接続地点において取得したアナログの電圧値をディジタル変換する。ＡＤ入力ポート７０において取得される電圧値は、接続される各接続端子Ａ１〜Ｃ１によって互いに異なる値に変化する。
【００３４】
マイクロコンピュータは、ディジタル変換された電圧値に応じて移動位置Ａ〜Ｃのうちからホールドスイッチ２２の現在位置を判断して本体機器の状態を切り換える。
【００３５】
操作キー２１は、操作キー部２１Ｓ及び接続端子２１Ａ，２１Ｂ等から構成される。操作キー部２１Ｓは、ユーザに押下されることで接続端子２１Ａ，２１Ｂに接続する。接続端子２１Ａは、回路に電力を供給する電源部（ＡＶＣＣ）５０とグランド（ＧＮＤ）６０との間において直列に接続されている複数の抵抗５２のそれぞれの間に接続されている。接続端子２１Ｂは、ＧＮＤ６０に接続されている。
【００３６】
また、ＡＶＣＣ５０とＧＮＤ６０との間における電流の流れる方向の最も上流側で接続された接続端子２１Ａの接続位置に図示しないマイクロコンピュータのＡＤ入力ポート７１が接続されている。
【００３７】
ＡＤ入力ポート７１は、接続地点において取得したアナログの電圧値をディジタル変換する。ＡＤ入力ポート７１において取得される電圧値は、複数の操作キー２１のうち押下された操作キー２１によって互いに異なる値に変化する。
【００３８】
なお、本実施形態のホールドスイッチ２２の移動位置Ａ〜Ｃの判断は、ＡＤ入力ポート７０を用いる構成に限られず、ホールドスイッチ２２の移動位置Ａ〜Ｃを判断できる構成であればよい。
【００３９】
例えば、図４に示すように、マイクロコンピュータに備えられる入力ポート８１，８２を用いた構成でもよい。接続端子Ｂ１及びＣ１に入力ポート８１及び８２を接続し、スイッチ部２２Ｓの自由端が各接続端子Ｂ１，Ｃ１に接続された際、ＡＶＣＣ５０からの電圧により入力ポート８１，８２はＬｏｗレベルからＨｉｇｈレベルとなる。
【００４０】
また、スイッチ部２２Ｓの自由端が各接続端子Ｂ１，Ｃ１から切断された際、入力ポート８１，８２はＨｉｇｈレベルからＬｏｗレベルとなる。したがって、接続端子Ａ１にスイッチ部２１Ｓの自由端が接続された状態では、入力ポート８１，８２ともにＬｏｗレベルとなる。
【００４１】
この入力ポート８１，８２のＨｉｇｈ／Ｌｏｗレベルのパターンによってホールドスイッチ２２の現在位置を判断する。
【００４２】
図５は、この発明の実施形態に係る記録媒体再生機器の操作キー操作処理の手順を示す流れ図である。本体機器動作中、まずＡＤ入力ポート７０から電圧値を取得する処理（Ｓ１）を行う。取得した電圧値からホールドスイッチ２２が操作無効状態の移動位置Ａに位置しているか否かを判断し（Ｓ２）、ホールドスイッチ２２が移動位置Ａに位置していると判断した場合は、本体機器を操作無効状態に設定（Ｓ３）してＳ１に戻る。
【００４３】
また、Ｓ２においてホールドスイッチＡが移動位置Ａに位置していないと判断した場合は、ホールドスイッチ２２が通常動作状態である移動位置Ｂ又は拡張動作状態である移動位置Ｃに位置しているかを判断する（Ｓ４）。ホールドスイッチ２２が移動位置Ｂに位置していると判断した場合は、本体機器を通常動作状態に設定する（Ｓ５）。
【００４４】
次に、通常動作状態において、ＡＤ入力ポート７１の電圧値を取得する処理（Ｓ６）を行い、取得した電圧値から操作キー２１が押下されているか否かを判断する（Ｓ７）。
【００４５】
押下されていると判断した場合は電圧値からどの操作キー２１が押下されたかを判断し（Ｓ８）、操作キー２１に割り当てられた通常動作状態でのジョブを実行する（Ｓ９）。Ｓ７において、どの操作キー２１も押下されていないと判断した場合は、ジョブの実行を行わない設定等の操作キー２１のオフ処理（Ｓ１０）を行ってＳ１の処理に戻る。
【００４６】
一方、Ｓ４において、ホールドスイッチが移動位置Ｃに位置していると判断した場合は、本体機器を拡張動作状態に設定する（Ｓ１１）。次に、拡張動作状態において、ＡＤ入力ポート７１の電圧値を取得する処理を行い（Ｓ１２）、取得した電圧値から操作キー２１が押下されているか否かを判断する（Ｓ１３）。
【００４７】
押下されていると判断した場合は電圧値からどの操作キー２１が押下されたかを判断し（Ｓ１４）、操作キー２１に割り当てられた拡張動作状態でのジョブを実行する（Ｓ１５）。Ｓ１３において、どの操作キー２１も押下されていないと判断した場合は、操作キー２１のオフ処理（Ｓ１６）を行ってＳ１の処理に戻る。
【００４８】
以上のようにして、この発明の電子機器に備えられるホールドスイッチ２２の操作状態に応じて、操作キー２１に割り当てられた複数のジョブのうち入力を受け付けるジョブの選択の入力を受け付けることによって、操作キー２１を新たに設けずにサイズを維持しつつ、操作キー２１により受け付けられるジョブの数を増加させることができる。
【００４９】
これにより、従来の機器のようにディスプレイ２０に表示されたジョブの選択メニュー等から操作キー２１を用いて目的のジョブを探して指示の選択の入力を行う等のユーザの手間を低減することができ、操作キー２１の操作性を向上させることができる。また、ジョブの指示の選択の入力の受付を単純な構成で行うことができ、コストダウンを図ることができる。
【００５０】
さらに、ホールドスイッチ２２は、本体機器の動作状態を変更する時に操作されるだけで、ユーザがジョブの入力を行う際等には使用されない。そのため、ホールドスイッチ２２が操作キー２１において指示の入力を受け付けるジョブの選択の入力を受け付けても、操作キー２１の操作性には影響を与えない。
【００５１】
なお、本実施形態では、ホールドスイッチ２２の移動を移動位置Ａ〜Ｃの３段としたが、特にこれに限定されるものではない。拡張動作状態をさらに増やして１つの操作キー２１に割り当てるジョブ数を増加してもよい。
【００５２】
また、ホールドスイッチ２２に、操作キー２１が受け付けるジョブの選択の入力を受け付けるだけでなく、移動位置を増やして操作キー２１としてジョブを割り当ててもよい。ホールドスイッチ２２は、本体機器の動作状態を変更する時に操作されるだけで、ユーザがジョブの指示の入力を行う際等には使用されないので、新たに操作キー２１を増加させることなく、指示の入力を受け付けることができるジョブの数を容易に増加させることができる。したがって、操作キー２１の操作性をより向上させることができる。
【００５３】
さらに、ホールドスイッチ２２にジョブを割り当てることで、ホールドスイッチ２２にジョブを割り当てない従来の機器に比べて、指示の入力を受け付けるジョブの数が同じであっても操作キー２１の数を少なくできるので、コストダウン及びサイズの小型化を図ることもできる。
【図面の簡単な説明】
【００５４】
【図１】この発明の記録媒体再生機器に備えられるリモートコントローラの外観図である。
【図２】同記録媒体再生機器に備えられるリモートコントローラに配設された操作キーに割り当てられたジョブの例を表す図でる。
【図３】同記録媒体再生機器に備えられるリモートコントローラに配設されたホールドスイッチの回路及び操作キーの回路の簡単な構成を示す回路図である。
【図４】同記録媒体再生機器に備えられるリモートコントローラに配設されたホールドスイッチの回路及び操作キーの回路の簡単な構成を示す回路図である。
【図５】同記録媒体再生機器の操作キー操作処理の手順を示す流れ図である。
【図６】従来の録媒体再生機器に備えられるリモートコントローラの簡単な構成を示す外観図である。
【符号の説明】
【００５５】
１０−リモートコントローラ
２１−操作キー
２２−ホールドスイッチ
【図１】
2005352597.tif 000003
【図２】
2005352597.tif 000004
【図３】
2005352597.tif 000005
【図４】
2005352597.tif 000006
【図５】
2005352597.tif 000007
【図６】
2005352597.tif 000008